(57)【要約】【課題】製氷室を、他の貯蔵物を貯蔵する貯蔵室として利用しやすいようにする。【解決手段】冷蔵庫本体３に設けられる製氷室９内の奥側に設けられ、冷気を製氷室９内に吹き出す冷気ダクト３２と、冷気ダクト３２から吹き出された冷気を受けてあらかじめ供給されている水が凍結して製氷される製氷皿４１と、製氷室９内に設けられ、製氷皿４１で製造された氷を貯蔵する貯氷箱３９と、を有する。製氷皿４１は、貯氷箱３９の上方かつ奥側で冷気ダクト３２に対応する位置に設けられている。【選択図】図３
2019049395.tif 000002
【特許請求の範囲】
【請求項１】
冷蔵庫本体に設けられる製氷室と、
前記製氷室内の奥側に設けられ、冷気を前記製氷室内に吹き出す冷気ダクトと、
前記冷気ダクトから吹き出された冷気を受けてあらかじめ供給されている水が凍結して製氷される製氷皿と、
前記製氷室内に設けられ、前記製氷皿で製造された氷を貯蔵する貯氷箱と、を有し、
前記製氷皿は、前記貯氷箱の上方かつ奥側で前記冷気ダクトに対応する位置に設けられていることを特徴とする冷蔵庫。
【請求項２】
前記製氷皿は、冷蔵庫正面から見て、左右方向の長さが前後方向の長さよりも長いことを特徴とする請求項１に記載の冷蔵庫。
【請求項３】
前記製氷皿は、冷蔵庫正面から見て前記冷気ダクトの左右方向の側方に配置され、
前記冷気ダクトの冷気吹出口は、前記製氷皿に対向する側に設けられていることを特徴とする請求項１または２に記載の冷蔵庫。
【請求項４】
前記冷気吹出口は、前記製氷皿に対し、上下方向の位置関係で同等または上方に位置していることを特徴とする請求項３に記載の冷蔵庫。
【請求項５】
前記冷気ダクトは、前記貯氷箱側に向けて冷気を吹き出す第２冷気吹出口を備えていることを特徴とする請求項３または４に記載の冷蔵庫。
【請求項６】
前記製氷皿に対しひねりを与えることにより変形させて氷を離脱させる駆動機構が前記製氷皿に取り付けられ、
前記製氷皿が前記冷気ダクト側に位置し、前記駆動機構が前記製氷皿を間にして前記冷気ダクトと反対側に位置していることを特徴とする請求項３ないし５のいずれか１項に記載の冷蔵庫。
【請求項７】
前記製氷皿に対しひねりを与えることにより変形させて氷を離脱させる駆動機構が前記製氷皿に取り付けられ、
前記駆動機構が前記冷気ダクト内に位置し、前記製氷皿が前記駆動機構よりも前記冷気ダクトから離れた位置に配置されていることを特徴とする請求項３ないし５のいずれか１項に記載の冷蔵庫。
【請求項８】
前記製氷皿に対しひねりを与えることにより変形させて氷を離脱させる駆動機構が前記製氷皿に取り付けられ、
前記駆動機構は、前記冷気ダクト側に位置し、かつ、冷蔵庫前面から見て前記製氷室に対して左右方向に隣接する貯蔵室との仕切り部に対応する位置に配置され、
前記製氷皿は、前記駆動機構を間にして前記冷気ダクトと反対側に位置していることを特徴とする請求項３ないし５のいずれか１項に記載の冷蔵庫。
【請求項９】
前記製氷皿に対しひねりを与えることによって変形させて氷を離脱させる駆動機構を備え、
前記駆動機構の前記製氷皿に対するひねりの中心軸線は、冷蔵庫前面側から見て左右方向に延在し、
前記駆動機構は、前記製氷皿が前記中心軸線を中心としてひねられることによって、前記製氷皿の開口側が前記貯氷箱に指向するように駆動することを特徴とする請求項１ないし８のいずれか１項に記載の冷蔵庫。
【請求項１０】
前記製氷皿の下方に、製氷皿で製造された氷を前記貯氷箱に向けて案内する氷案内部が設けられていることを特徴とする請求項１ないし９のいずれか１項に記載の冷蔵庫。
【請求項１１】
前記貯氷箱は、少なくとも奥側の底部に、奥側から手前側に向けて上下方向の高さが低くなる傾斜面が設けられていることを特徴とする請求項１ないし１０のいずれか１項に記載の冷蔵庫。
【請求項１２】
前記製氷皿の下方に、電気配線の束線を収納する束線収納部を配置したことを特徴とする請求項１ないし１１のいずれか１項に記載の冷蔵庫。
【請求項１３】
前記貯氷箱内の氷を検知する氷検知器が、前記貯氷箱の上方の製氷室内壁に取り付けられていることを特徴とする請求項１ないし１２のいずれか１項に記載の冷蔵庫。
【請求項１４】
前記製氷室での製氷を中止しているときに、前記製氷皿で製造された氷以外の他の貯蔵物を貯蔵可能な温度に調整する温度制御部を備えていることを特徴とする請求項１ないし１３のいずれか１項に記載の冷蔵庫。
【発明の詳細な説明】
【技術分野】
【０００１】
本発明は、製氷機能を備える冷蔵庫に関する。
【背景技術】
【０００２】
特許文献１に記載された冷蔵庫は、製氷室に収容した貯氷箱の上方に、製氷皿及び、製氷皿を支持する皿支持装置が配置されている。
【先行技術文献】
【特許文献】
【０００３】
【特許文献１】特開平１１−８３２７３号公報
【発明の概要】
【発明が解決しようとする課題】
【０００４】
特許文献１に記載された冷蔵庫は、製氷皿及び皿支持装置が貯氷箱の上方に位置している。このため、製氷室を、氷以外の他の貯蔵物を貯蔵する貯蔵室として利用する際には、製氷皿及び皿支持装置が邪魔になり、利用しにくいという課題がある。製氷室を他の貯蔵室として利用するには、製氷皿及び皿支持装置を取り外すという煩雑な作業が必要となる。
【０００５】
そこで本発明は、製氷室を、他の貯蔵物を貯蔵する貯蔵室として利用しやすいようにすることを目的としている。
【課題を解決するための手段】
【０００６】
本発明の実施の形態の冷蔵庫は、冷蔵庫本体に設けられる製氷室と、製氷室内の奥側に設けられ、冷気を製氷室内に吹き出す冷気ダクトと、冷気ダクトから吹き出された冷気を受けてあらかじめ供給されている水が凍結して製氷される製氷皿と、製氷室内に設けられ、製氷皿で製造された氷を貯蔵する貯氷箱と、を有する。製氷皿は、貯氷箱の上方かつ奥側で冷気ダクトに対応する位置に設けられている。
【図面の簡単な説明】
【０００７】
【図１】本発明の第１の実施形態に係わる冷蔵庫の正面図である。
【図２】図１における製氷室、上冷凍室及び下冷凍室の内部を示す簡略化した正面図である。
【図３】図２のＡ−Ａ断面図である。
【図４】図２の製氷室及び上冷凍室を示す平面図である。
【図５】図２のエバカバーの周辺を示す左側面図である。
【図６】第２の実施形態を示す、図２に対応する正面図である。
【図７】第３の実施形態を示す、図２に対応する正面図である。
【図８】第４の実施形態を示す、図３に対応する断面図である。
【図９】第５の実施形態を示す、図３に対応する断面図である。
【図１０】第６の実施形態を示す、図３に対応する断面図である。
【発明を実施するための形態】
【０００８】
以下、本発明の実施の形態を図面に基づき説明する。
【０００９】
［第１の実施形態］
図１に示すように、本発明の第１の実施形態に係わる冷蔵庫１は冷蔵庫本体３を備える。冷蔵庫本体３は、外側側板からなる外箱と内側側板からなる内箱とを有し、外箱と内箱の間に断熱材が配置され、断熱性を有するキャビネットにより構成している。冷蔵庫本体３の内部には、貯蔵室として、上段から下段に向けて冷蔵室５及び野菜室７を順次設け、野菜室７の下部には製氷室９と上冷凍室１１とを左右に並べて設けてある。さらに、貯蔵室として、製氷室９及び上冷凍室１１の下部には、下冷凍室１３を設けてある。各貯蔵室は隔壁により仕切ってある。
【００１０】
冷蔵室５の前面には、冷蔵室５の前面開口部を開閉する左右の開閉扉１５，１７を設けている。左の開閉扉１５は、図１中で左側端部の図示しないヒンジを介して左右に開閉し、右の開閉扉１７は、図１中で右側端部の図示しないヒンジを介して左右に開閉する。野菜室７、製氷室９、上冷凍室１１及び下冷凍室１３の各前面には、それぞれの前面開口部を開閉する引き出し式の引出扉１９，２１，２３及び２５を設けている。引出扉１９，２１，２３及び２５は、いずれも冷蔵庫本体３の図示しない各ガイドレールにガイドされて前後にスライド移動する。
【００１１】
図２は、図１における製氷室９、上冷凍室１１及び下冷凍室１３の内部を示す簡略化した正面図である。製氷室９と上冷凍室１１とは、上下方向に延びる縦隔壁２７によって左右に分割してあり、製氷室９及び上冷凍室１１と、下冷凍室１３とは、水平方向に延びる下部横隔壁２９によって上下に分割してある。
【００１２】
図２に示すように、製氷室９、上冷凍室１１及び下冷凍室１３に対応する位置の冷蔵庫背面側には、エバカバー３１を配置してある。エバカバー３１は、中空であって内部空間が図３に示す冷気ダクト３２となっている。縦隔壁２７及び下部横隔壁２９の後壁３ａ側の端部は、後壁３ａまで達しておらず、エバカバー３１の後壁３ａと反対側の表面に略対応する位置にある。したがって、エバカバー３１は、冷蔵庫本体３の後壁３ａと、縦隔壁２７及び下部横隔壁２９との間に位置している。
【００１３】
図２に示すように、エバカバー３１は、下冷凍室１３の上部側の一部に対応する下冷凍室対応部３１ａと、上冷凍室１１の略全域に対応する上冷凍室対応部３１ｂと、製氷室９の縦隔壁２７近傍位置に対応する製氷室対応部３１ｃとを備えている。
【００１４】
下冷凍室対応部３１ａに対応する位置の後壁３ａに、冷却器３３を取り付け、上冷凍室対応部３１ｂに対応する位置の後壁３ａに、冷気ファン３５を取り付けている。冷却器３３及び冷気ファン３５は、エバカバー３１の一部を切り欠くことによって、エバカバー３１の冷気ダクト３２内にそれぞれ露出する。冷気ファン３５は、エバカバー３１の外部の空気を冷気ダクト３２に導入し、冷却器３３によって冷却された冷気を、後述する冷気吹出口から製氷室９や下冷凍室１３に吹き出す。
【００１５】
製氷室９には、製氷機３７及び、製氷機３７で製氷された氷を貯蔵する貯氷箱３９を収容している。貯氷箱３９は、図１、図３に示す引出扉２１を引き出すことで引出扉２１と一緒に引き出されるように、引出扉２１に支持されている。貯氷箱３９は、引出扉２１を閉じた状態において、前後方向（図３中で左右方向）でエバカバー３１と引出扉２１との間の略全域を占めるように配置される。
【００１６】
製氷機３７は、製氷皿４１と、製氷皿４１に対しひねりを与えることにより変形させる駆動機構４３とを備えている。製氷皿４１がひねられるようにして変形することで、製氷された氷が製氷皿４１から離脱する。製氷皿４１は、図２に示すように、貯氷箱３９の上方で、かつ、図３に示すように、エバカバー３１に対応する製氷室９の奥側に位置しており、貯氷箱３９よりも後壁３ａに近い位置にある。より具体的には、製氷皿４１の冷蔵後前面側の前端部は、貯氷箱３９の冷蔵庫背面側の後端部よりも、後側（図３中で右側）に位置する。製氷皿４１は、図２に示す冷蔵庫正面から見た左右方向の長さが、図３に示す冷蔵庫側面から見た前後方向の長さよりも長い。
【００１７】
駆動機構４３は、製氷皿４１を間にして縦隔壁２７と反対側の冷蔵庫本体３の側壁内面に取り付けている。製氷皿４１は、駆動機構４３と反対側の端部をエバカバー３１の製氷室対応部３１ｃに固定している。駆動機構４３は、例えば一定角度可能な電気モータで構成され、電気モータの一定角度回転によって、製氷皿４１を図２中で左右方向を軸心とする回転中心軸を中心として回転させる。ここでの駆動機構４３は、製氷皿４１を図３中で左回り方向に一定角度回転させる。
【００１８】
これにより、製氷皿４１は、ひねりが与えられることになって、製氷皿４１で製氷された氷が製氷皿４１から離脱する。製氷皿４１には、給水管４５を通じて水が供給される。給水管４５は、製氷室９と野菜室７とを分割する上部横隔壁４７を貫通しており、例えば野菜室７の底部に配置してある図示しない給水タンクに接続される。ここで、図３に示すように、駆動機構４３及び、駆動機構４３による製氷皿４１のひねりの中心軸は、貯氷箱３９の冷蔵庫背面側の後端部よりも後側（図３中で右側）に位置する。
【００１９】
製氷皿４１の下方には、氷案内部としての傾斜板４９を配置している。傾斜板４９は、冷蔵庫１の前面側（図３中で左側）が裏面側（図３中で右側）よりも上下方向位置が低くなるように傾斜している。傾斜板４９は、図２に示すように冷蔵庫１の正面から見て、左右方向の長さが、製氷皿４１における氷が製氷される部位の左右方向の長さよりもやや長く、貯氷箱３９の上部の開口部分の左右方向の長さよりやや短い。傾斜板４９は、例えば取付具５１によって後壁３ａに取り付けられる。
【００２０】
図４は、製氷室９及び上冷凍室１１の平面図であり、エバカバー３１の製氷室対応部３１ｃに、第１冷気吹出口３１ｃ１及び第２冷気吹出口３１ｃ２を形成している。第１冷気吹出口３１ｃ１は、図２、図５に示すように、製氷室対応部３１ｃの上冷凍室対応部３１ｂと反対側の端面の上部に開口し、貯氷箱３９の冷蔵庫背面側の後端部よりも後側（図５中で左側）に位置する。第１冷気吹出口３１ｃ１は、製氷皿４１よりも上部に位置し、吹出した冷気が製氷皿４１に供給された水の表面に直接触れるようにしている。
【００２１】
すなわち、第１冷気吹出口３１ｃ１から吹き出された冷気は、図２、図４の矢印Ｃ１で示すように、製氷皿４１に供給された水の表面（製氷皿４１の上面）に沿って駆動機構４３に向けて流れる。なお、第１冷気吹出口３１ｃ１は、製氷皿４１の側部に対向する位置でもよい。この場合、第１冷気吹出口３１ｃ１から吹き出された冷気は、製氷皿４１の側部に衝突する。
【００２２】
第２冷気吹出口３１ｃ２は、図２、図４、図５に示すように、製氷室対応部３１ｃの冷蔵庫前面側の表面に開口している。第２冷気吹出口３１ｃ２は、図５に示すように、上下方向位置が第１冷気吹出口３１ｃ１と略同等の上部に位置している。第２冷気吹出口３１ｃ２から吹き出された冷気は、製氷室９内の冷蔵庫前面側に向けて流れ、一部は貯氷箱３９に向けて流れる。なお、第２冷気吹出口３１ｃ２の位置は、上記した位置に限ることはない。例えば、図４において製氷室対応部３１ｃの冷蔵庫前面側の角部でもよく、図５における位置よりも下方でもよい。
【００２３】
図２に示すように、エバカバー３１は、下冷凍室対応部３１ａの冷却器３３より上方位置に、下冷凍室１３に開口する第３冷気吹出口３１ｃ３を設けている。第３冷気吹出口３１ｃ３から吹き出された冷気によって、下冷凍室１３が冷却される。第３冷気吹出口３１ｃ３についても、上位した位置に限定されるものではない。なお、図示していないが、上冷凍室１１に冷気を吹き出す冷気吹出口を上冷凍室対応部３１ｂに設けてもよい。
【００２４】
本実施形態の冷蔵庫１は、製氷室９での製氷を中止しているときに、製氷皿４１で製造された氷以外の他の貯蔵物を貯蔵可能な温度に調整する温度制御部を備えている。この場合、例えば、第１冷気吹出口３１ｃ１及び第２冷気吹出口３１ｃ２から冷気が吹き出さないようにしたうえで、冷蔵室５や野菜室７に送り込む冷気を製氷室９に送り込むようにすればよい。
【００２５】
次に、本実施形態の作用効果を説明する。
【００２６】
本実施形態は、冷蔵庫本体３に設けられる製氷室９と、製氷室９内の奥側に設けられ、冷気を製氷室９内に吹き出す冷気ダクト３２と、冷気ダクト３２から吹き出された冷気を受けてあらかじめ供給されている水が凍結して製氷される製氷皿４１と、製氷室９内に設けられ、製氷皿４１で製造された氷を貯蔵する貯氷箱３９と、を有する。製氷皿４１は、貯氷箱３９の上方かつ奥側で冷気ダクト３２に対応する位置に設けられている。
【００２７】
この場合、製氷皿４１が貯氷箱３９よりも冷蔵庫１の奥側に位置しているため、貯氷箱３９の上方の空間がより広く確保されている。このため、製氷皿４１を取り外すことなく、貯氷箱３９を配置するスペースを冷凍室として利用しやすくなる。また、冷蔵庫１が、製氷室９での製氷を中止しているときに、氷以外の他の貯蔵物を貯蔵可能な温度に調整する温度制御部を備えることで、製氷室９を冷蔵室や野菜室として利用できる。
【００２８】
本実施形態は、製氷皿４１が、冷蔵庫正面から見て、左右方向の長さが前後方向の長さよりも長い。これにより、製氷皿４１よりも手前側の製氷室９のスペースを、前後方向の長さが左右方向の長さよりも長い場合に比較して、より広くすることができる。
【００２９】
本実施形態は、製氷皿４１が、冷蔵庫正面から見て製氷室対応部３１ｃに対応する冷気ダクト３２の左右方向の側方に配置され、冷気ダクト３２の第１冷気吹出口３１ｃ１は、製氷皿４１に対向する側に設けられている。このため、第１冷気吹出口３１ｃ１から吹き出す冷気を、製氷皿４１に向かわせるための屈曲したダクトを設ける必要がなく、構造の簡素化を達成できる。
【００３０】
本実施形態は、第１冷気吹出口３１ｃ１が、製氷皿４１に対し、上下方向の位置関係で同等または上方に位置している。この場合、製氷皿４１の底部に製氷センサを取り付けたときに、冷気が製氷センサに直接当たるのを抑制できる。製氷センサは、製氷皿４１での製氷が完了したことを検知する温度センサである。このため、冷気が製氷センサに直接当たることによる誤検知を抑制できる。
【００３１】
本実施形態は、冷気ダクト３２が、貯氷箱３９側に向けて冷気を吹き出す第２冷気吹出口３１ｃ２を備えている。このため、製氷室９内の温度分布をより均一化することができる。
【００３２】
本実施形態は、製氷皿４１に対しひねりを与えることにより変形させて氷を離脱させる駆動機構４３が製氷皿４１に取り付けられている。製氷皿４１が、製氷室対応部３１ｃに対応する冷気ダクト３２側に位置し、駆動機構４３が、製氷皿４１を間にして製氷室対応部３１ｃに対応する冷気ダクト３２と反対側に位置している。この場合、製氷室対応部３１ｃに設けてある第１冷気吹出口３１ｃ１を、駆動機構４３が邪魔になることなく、製氷皿４１に容易に指向させることができる。
【００３３】
本実施形態は、駆動機構４３による製氷皿４１のひねりの中心軸線は、冷蔵庫前面側から見て左右方向に延在している。駆動機構４３は、製氷皿４１が上記中心軸線を中心としてひねられることによって、製氷皿４１の開口側が貯氷箱３９に指向するように駆動する。この場合、製氷皿４１は、図３中で左回り方向に回転して上部開口側が貯氷箱３９に向くことになり、製氷皿４１から離脱した氷が貯氷箱３９に向けて効率よく落下する。
【００３４】
本実施形態は、製氷皿４１の下方に、製氷皿４１で製造された氷を貯氷箱３９に向けて案内する傾斜板４９が設けられている。このため、製氷皿４１から離脱した氷が、傾斜板４９に案内されて貯氷箱３９に効率よく落下する。
【００３５】
［第２の実施形態］
図６は、第２の実施形態を示す、図２に対応する正面図である。第２の実施形態は、第１の実施形態に対し、製氷機３７の左右方向の向きが逆になっている。すなわち、図６に示す製氷機３７は、駆動機構４３が縦隔壁２７側に位置し、製氷皿４１が駆動機構４３を間にして縦隔壁２７と反対側に位置している。
【００３６】
駆動機構４３は、製氷室対応部３１ｃの第１冷気吹出口３１ｃ１を避けた位置で、かつ、エバカバー３１の内部に取り付けている。一方、製氷皿４１は、縦隔壁２７と反対側の冷蔵庫本体３の側壁内面に支持具５７を介して取り付けている。
【００３７】
第２の実施形態は、駆動機構４３がエバカバー３１（冷気ダクト３２）内に位置し、製氷皿４１が、駆動機構４３よりも製氷室対応部３１ｃに対応する冷気ダクト３２から左右方向に離れた位置に配置されている。この場合、駆動機構４３が製氷室９の外部（エバカバー３１内）に位置するので、製氷皿４１は、製氷室９の内部において左右方向の長さに関してより自由に設定でき、例えば貯氷箱３９の左右方向の長さに合わせることが容易となる。また、エバカバー３１と駆動機構４３とを一体化できるため、これらを一つの部品として取り扱うことで、部品管理が容易となる。
【００３８】
［第３の実施形態］
図７は、第３の実施形態を示す、図２に対応する正面図である。第３の実施形態は、第２の実施形態と同様に、第１の実施形態に対し製氷機３７の左右方向の向きが逆であり、かつ、駆動機構４３を冷蔵庫正面から見て仕切り部となる縦隔壁２７に対応する位置に配置している。駆動機構４３を縦隔壁２７に対応する位置とすることで、エバカバー３１は、図２、図６に示してある製氷室対応部３１ｃが形成されない形状となる。この場合の駆動機構４３は、縦隔壁２７の図７中で紙面裏側の端部に取り付けるか、あるいは、エバカバー３１の上冷凍室対応部３１ｂに取り付ける。上冷凍室対応部３１ｂに取り付ける場合は、第１冷気吹出口３１ｃ１を避けた位置とする。
【００３９】
製氷室対応部３１ｃが形成されていないので、製氷室９に冷気を吹き出す第２冷気吹出口３１ｃ２は、例えば製氷機３７より下方位置で、上冷凍室対応部３１ｂの製氷室９側の端部に形成する。また、上冷凍室対応部３１ｂを図７に示す位置よりも縦隔壁２７に対応する位置まで左側に突出させることで、駆動機構４３を第２の実施形態のようにエバカバー３１の内部に取り付けることもできる。
【００４０】
第３の実施形態は、駆動機構４３が、冷気ダクト３２の第１冷気吹出口３１ｃ１側に位置し、かつ、冷蔵庫前面から見て製氷室９に対し左右方向に隣接する上冷凍室１１との間の縦隔壁２７に対応する位置に配置されている。製氷皿４１は、駆動機構４３を間にして冷気ダクト３２の第１冷気吹出口３１ｃ１と反対側に位置している。この場合、縦隔壁２７に対応する位置も製氷機３７の配置に利用でき、製氷機３７を配置する際の自由度が向上する。
【００４１】
［第４の実施形態］
図８は、第４の実施形態を示す、図３に対応する断面図である。第４の実施形態は、第１の実施形態に対し貯氷箱３９の底部の形状が異なる。具体的には、貯氷箱３９は、冷蔵庫１の前後方向（図８中で左右方向）の略中間位置から後方側の底部にかけて傾斜面３９ａを形成している。傾斜面３９ａは、冷蔵庫前面側（図８中で左側）から裏面側（図８中で右側）に向けて上下方向の高さが徐々に高くなっている。なお、傾斜面３９ａは、貯氷箱３９の底部の前後方向の全域に設けてもよい。
【００４２】
第４の実施形態は、貯氷箱３９が、少なくとも奥側の底部に、奥側から手前側に向けて上下方向の高さが低くなる傾斜面３９ａが設けられている。このため、製氷皿４１から傾斜板４９に沿って貯氷箱３９に落下する氷が、傾斜面３９ａによって冷蔵庫前面側に移動する。これにより、貯氷箱３９に落下する氷が貯氷箱３９の奥側に溜まることを抑制でき、氷の取り出しが容易となって利便性が向上する。
【００４３】
［第５の実施形態］
図９は、第５の実施形態を示す、図３に対応する断面図である。第５の実施形態は、傾斜板４９と、傾斜板４９の下方の下冷凍室対応部３１ａとの間の空間に、電気配線の束線を結束した状態で収納する束線収納部としての束線収納箱５９を配置している。束線収納箱５９は、例えば冷蔵庫本体３の後壁３ａに取り付ける。電気配線としては、例えば駆動機構４３、冷気ファン３５や図示しない除霜用のヒータに接続されるものがある。
【００４４】
第５の実施形態は、製氷皿４１の下方に電気配線の束線を結束した状態で収納する束線収納箱５９を配置している。これにより、製氷皿４１の下方の空間を有効利用できる。
【００４５】
［第６の実施形態］
図１０は、第６の実施形態を示す、図３に対応する断面図である。第６の実施形態は、貯氷箱３９の上方の製氷室内壁となる上部横隔壁４７の下面に、氷検知器としての氷検知レバー５３を、取付具５５を介して取り付けてある。氷検知レバー５３は、貯氷箱３９に貯蔵された氷によって先端側が押し上げられて、氷が満杯となったことを検知する。氷が貯蔵されていない場合には、氷検知レバー５３の先端が貯氷箱３９の底部付近まで垂れ下がり、氷が貯蔵されていないことを検知する。
【００４６】
第６の実施形態は、貯氷箱３９内の氷を検知する氷検知レバー５３が、貯氷箱３９の上方の上部横隔壁４７に取り付けられている。このため、氷検知レバー５３を製氷皿４１に取り付けることなく、貯氷箱３９に貯蔵された氷を検知することができ、製氷機３７の構造を簡素化できる。氷検知レバー５３は、先端が上方に押し上げられた状態が維持される構成とすることで、他の貯蔵物を製氷室９に貯蔵するときに、氷検知レバー５３が邪魔になることを抑制できる。
【００４７】
以上、本発明の実施形態について説明したが、これらの実施形態は本発明の理解を容易にするために記載された単なる例示に過ぎず、本発明は当該実施形態に限定されるものではない。本発明の技術的範囲は、上記実施形態で開示した具体的な技術事項に限らず、そこから容易に導きうる様々な変形、変更、代替技術なども含む。
【００４８】
例えば、製氷皿４１の冷蔵庫前面から見た左右方向の長さと前後方向長さとの関係について、上記した実施形態と逆でもよく、同等でもよい。
【符号の説明】
【００４９】
１  冷蔵庫
３  冷蔵庫本体
９  製氷室
２７  縦隔壁（仕切り部）
３１  エバカバー
３１ｃ１  第１冷気吹出口（冷気吹出口）
３１ｃ２  第２冷気吹出口
３２  エバカバーの冷気ダクト
３９  貯氷箱
３９ａ  貯氷箱の傾斜面
４１  製氷皿
４３  駆動機構
４７  上部横隔壁（製氷室内壁）
４９  傾斜板（氷案内部）
５３  氷検知レバー（氷検知器）
５９  束線収納箱（束線収納部）
【図１】
2019049395.tif 000003
【図２】
2019049395.tif 000004
【図３】
2019049395.tif 000005
【図４】
2019049395.tif 000006
【図５】
2019049395.tif 000007
【図６】
2019049395.tif 000008
【図７】
2019049395.tif 000009
【図８】
2019049395.tif 000010
【図９】
2019049395.tif 000011
【図１０】
2019049395.tif 000012